(57)【要約】【課題】使用者が通信ケーブルを別途携帯する必要がなく、通信ケーブルを収納するためのスペースを有効に確保し、かつ、収納された入出力端子に埃などが付着するのを抑制することが可能な携帯機器を提供する。【解決手段】この携帯情報端末１（携帯機器）は、携帯情報端末１本体を構成する筐体２と、ＵＳＢ端子部７ａが設けられているＵＳＢケーブル７と、ＵＳＢケーブル７以外のＳＤカード５０を収納するために筐体２に設けられ、ＳＤカード５０に加えて、ＵＳＢケーブル７およびＵＳＢケーブル７のＵＳＢ端子部７ａも内部に収納されている開閉可能なカードドア部６とを備える。【選択図】図３
2008052612.tif 000002
【特許請求の範囲】
【請求項１】
携帯機器本体を構成する筐体を備える携帯機器において、
入出力端子が設けられた通信ケーブルと、
前記通信ケーブル以外の所定の物品を収納するために前記筐体に設けられ、前記所定の物品に加えて、前記通信ケーブルおよび前記通信ケーブルの入出力端子も内部に収納された開閉可能なドア部とをさらに備え、
前記入出力端子は、前記ドア部の内部にスライド可能に配置されるとともに、スライドされることによって前記筐体の外部に突出させることが可能なように構成され、
前記入出力端子を前記筐体の外部に突出させる際に、前記入出力端子が接続される外部機器との通信を可能にするデータ送受信モードに移行するように構成され、
前記入出力端子は、スイッチ部を含み、
前記スイッチ部は、前記入出力端子がスライドされることによって、前記データ送受信モードのオンおよびオフを切り替えるように構成され、
前記スイッチ部には、凸部が設けられ、
前記ドア部の内部の前記入出力端子が配置される部分には、前記凸部と係合する凹部が設けられている、携帯機器。
【請求項２】
携帯機器本体を構成する筐体と、
入出力端子が設けられた通信ケーブルと、
前記通信ケーブル以外の所定の物品を収納するために前記筐体に設けられ、前記所定の物品に加えて、前記通信ケーブルおよび前記通信ケーブルの入出力端子も内部に収納された開閉可能なドア部とを備える、携帯機器。
【請求項３】
前記入出力端子は、前記ドア部の内部にスライド可能に配置されるとともに、スライドされることによって前記筐体の外部に突出するように構成されている、請求項２に記載の携帯機器。
【請求項４】
前記入出力端子は、前記筐体の外部に突出させることが可能なように構成されており、
前記入出力端子を前記筐体の外部に突出させる際に、前記入出力端子が接続される外部機器との通信を可能にするデータ送受信モードに移行するように構成されている、請求項２または請求項３のいずれかに記載の携帯機器。
【請求項５】
前記入出力端子は、スイッチ部を含み、
前記スイッチ部は、前記入出力端子がスライドされることによって、前記データ送受信モードのオンおよびオフを切り替えるように構成されている、請求項４に記載の携帯機器。
【請求項６】
前記スイッチ部には、凸部が設けられ、
前記ドア部の内部の前記入出力端子が配置される部分には、前記凸部と係合する凹部が設けられている、請求項５に記載の携帯機器。
【発明の詳細な説明】
【技術分野】
【０００１】
本発明は、携帯機器に関し、特に、携帯機器本体を構成する筐体を備える携帯機器に関する。
【背景技術】
【０００２】
従来、携帯機器本体を構成する筐体を備える携帯機器などが知られている（たとえば、特許文献１〜５参照）。
【０００３】
上記特許文献１には、音声の入力および出力などに使用されるジャック端子（入出力端子）を携帯電話に接続するとともに携帯電話を操作することによって、撮像可能なデジタルカメラ（携帯機器）が開示されている。このデジタルカメラのジャック端子は、ジャック端子に連結されているつまみをスライドさせることによって、ジャック端子がデジタルカメラ本体に収納されるように構成されている。
【０００４】
また、上記特許文献２には、通信ケーブルと、通信ケーブルを収納するためのケーブル収納部を備える設置型のプリント装置が開示されている。
【０００５】
また、上記特許文献３には、開閉可能な電池蓋と、電池蓋内部側に設けられている電池格納部とを備えた電子機器（携帯機器）の外部接続構造が開示されている。この電子機器の外部接続構造は、電池蓋に覆われている電池格納部の内部にＵＳＢケーブルのジャック（メス）が配置されている。この電子機器が外部に接続される際には、電池蓋を開くとともに、電池格納部に設けられているジャック（メス）にＵＳＢケーブル（オス）の一方端を挿入し、ＵＳＢケーブルの他方端を外部に接続するように構成されている。
【０００６】
また、上記特許文献４には、通信ケーブルと、通信ケーブルを巻き取るとともに収納する機能を有するドラム筐体部とを備えた携帯情報端末（携帯機器）が開示されている。また、通信ケーブルの端子部（入出力端子）は、通信ケーブルが筐体ドラムによって巻き取られた後に、筐体に設けられている凹部に収納されるように構成されている。
【０００７】
また、上記特許文献５には、パソコンなどの電子機器に取り付け可能な撮像装置（携帯機器）が開示されている。この撮像装置は、パソコンなどに接続するためのＵＳＢコネクタ（オス）（入出力端子）が設けられている。また、ＵＳＢコネクタには、スライド可能なボタンが取り付けられており、ボタンをスライドさせることによって、ＵＳＢコネクタが撮像装置本体に収納されるように構成されている。
【０００８】
【特許文献１】特開２００５−３２８５６０号公報
【特許文献２】特開２００５−３２２０２３号公報
【特許文献３】特開２００４−１５９１３７号公報
【特許文献４】特開２００１−２０９４６２号公報
【特許文献５】特開２００１−６９３９０号公報
【発明の開示】
【発明が解決しようとする課題】
【０００９】
しかしながら、上記特許文献１に開示されたデジタルカメラ（携帯機器）では、ジャック端子（入出力端子）に連結されているつまみをスライドすることにより、ジャック端子をデジタルカメラ本体に収納する構造であるので、ジャック端子が収納されている部分は開口部を有する形状である。このため、ジャック端子の収納部に埃などが浸入して、ジャック端子に埃などが付着してしまうという問題点がある。
【００１０】
また、上記特許文献２に開示された設置型のプリント装置では、通信ケーブル専用の収納部が設けられている。しかしながら、このような通信ケーブル専用の収納部を、持ち運び可能な小型の携帯機器に設けようとすると、スペースを確保するのが困難になるという問題点がある。
【００１１】
また、上記特許文献３に開示された電子機器（携帯機器）の外部接続構造では、電子機器を外部に接続するために、ＵＳＢケーブル（通信ケーブル）を別途接続しなければならないという不都合がある。このため、電子機器を外部に接続するためには、使用者は、電子機器と一緒にＵＳＢケーブルを別途携帯しなければならないという問題点がある。
【００１２】
また、上記特許文献４に開示された携帯情報端末（携帯機器）では、通信ケーブルの端子部（入出力端子）は、筐体に設けられている凹部に収納されるだけなので、筐体に設けられている凹部に埃などが浸入して、凹部に収納された端子部に埃などが付着してしまうという問題点がある。
【００１３】
また、上記特許文献５に開示された撮像装置（携帯機器）では、ＵＳＢコネクタ（入出力端子）をスライドすることにより、ＵＳＢコネクタを撮像装置本体に収納する構造であるので、ＵＳＢコネクタが収納されている部分は開口部を有する形状である。このため、ＵＳＢコネクタの収納部に埃などが浸入して、ＵＳＢコネクタに埃などが付着してしまうという問題点がある。
【００１４】
この発明は、上記のような課題を解決するためになされたものであり、この発明の１つの目的は、使用者が通信ケーブルを別途携帯する必要がなく、通信ケーブルを収納するためのスペースを有効に確保し、かつ、収納された入出力端子に埃などが付着するのを抑制することが可能な携帯機器を提供することである。
【課題を解決するための手段および発明の効果】
【００１５】
この発明の第１の局面による携帯機器は、携帯機器本体を構成する筐体を備える携帯機器において、入出力端子が設けられた通信ケーブルと、通信ケーブル以外の所定の物品を収納するために筐体に設けられ、所定の物品に加えて、通信ケーブルおよび通信ケーブルの入出力端子も内部に収納された開閉可能なドア部とをさらに備え、入出力端子は、ドア部の内部にスライド可能に配置されるとともに、スライドされることによって筐体の外部に突出させることが可能なように構成され、入出力端子を筐体の外部に突出させる際に、入出力端子が接続される外部機器との通信を可能にするデータ送受信モードに移行するように構成され、入出力端子は、スイッチ部を含み、スイッチ部は、入出力端子がスライドされることによって、データ送受信モードのオンおよびオフを切り替えるように構成され、スイッチ部には、凸部が設けられ、ドア部の内部の入出力端子が配置される部分には、凸部と係合する凹部が設けられている。
【００１６】
この発明の第１の局面による携帯機器では、上記のように、携帯機器本体を構成する筐体に、入出力端子が設けられている通信ケーブルを設けることによって、入出力端子を介して携帯機器を外部機器に接続する際に、別途通信ケーブルを接続する必要がないので、使用者が外部機器に接続するための通信ケーブルを別途携帯する必要がない。また、通信ケーブル以外の所定の物品を収納するために筐体に、所定の物品に加えて、通信ケーブルおよび通信ケーブルの入出力端子も内部に収納されている開閉可能なドア部を設けることによって、通信ケーブルを収納するためだけの収納スペースを必要としないため、スペースに余裕のない小型の携帯機器においても、通信ケーブルを収納するスペースを有効に確保することができる。また、通信ケーブルの入出力端子を使用しない場合に、開閉可能なドア部によって、通信ケーブルおよび通信ケーブルの入出力端子は、筐体内部に外部と遮断された状態で収納されるので、収納された入出力端子に埃などが付着するのを抑制することができる。
【００１７】
また、第１の局面では、入出力端子を、ドア部の内部にスライド可能に配置するとともに、スライドすることによって筐体の外部に突出させることが可能なように構成することによって、接続時に入出力端子を容易に筐体の外部に突出させることができる。また、入出力端子を筐体の外部に突出させる際に、入出力端子が接続される外部機器との通信を可能にするデータ送受信モードに移行されるように構成することによって、使用者がデータ送受信モードに切り替えるために特別な操作を行う必要がないので、携帯機器の操作性を向上させることができる。また、入出力端子に含まれるスイッチ部は、入出力端子がスライドされることにより、データ送受信モードのオンおよびオフを切り替えるように構成されていることによって、スイッチ部を用いて、容易にデータ送受信モードのオンおよびオフを切り替えることができる。また、スイッチ部に凸部を設け、ドア部の内部の入出力端子が配置される部分に凸部と係合する凹部を設けることによって、スイッチ部をスライドする際に、凹部に係合されているスイッチ部の凸部が同時にスライドされるので、容易に、データ送受信モードのオンおよびオフを行うことができる。
【００１８】
この発明の第２の局面における携帯機器は、携帯機器本体を構成する筐体と、入出力端子が設けられている通信ケーブルと、通信ケーブル以外の所定の物品を収納するために筐体に設けられ、所定の物品に加えて、通信ケーブルおよび通信ケーブルの入出力端子も内部に収納された開閉可能なドア部とを備える。
【００１９】
この第２の局面による携帯機器では、上記のように、携帯機器本体を構成する筐体に、入出力端子が設けられている通信ケーブルを設けることによって、入出力端子を介して携帯機器を外部機器に接続する際に、別途通信ケーブルを接続する必要がないので、使用者が外部機器に接続するための通信ケーブルを別途携帯する必要がない。また、通信ケーブル以外の所定の物品を収納するために筐体に、所定の物品に加えて、通信ケーブルおよび通信ケーブルの入出力端子も内部に収納されている開閉可能なドア部を設けることによって、通信ケーブルを収納するためだけの収納スペースを必要としないため、スペースに余裕のない小型の携帯機器においても、通信ケーブルを収納するスペースを有効に確保することができる。また、通信ケーブルの入出力端子を使用しない場合に、開閉可能なドア部によって、通信ケーブルおよび通信ケーブルの入出力端子は、筐体内部に外部と遮断された状態で収納されるので、収納された入出力端子に埃などが付着するのを抑制することができる。
【００２０】
上記第２の局面による携帯機器において、好ましくは、入出力端子は、ドア部の内部にスライド可能に配置されるとともに、スライドされることによって筐体の外部に突出するように構成されている。このように構成すれば、接続時に入出力端子を容易に筐体の外部に突出させることができる。
【００２１】
上記第２の局面による携帯機器において、好ましくは、入出力端子は、筐体の外部に突出させることが可能なように構成されており、入出力端子を筐体の外部に突出させる際に、入出力端子が接続される外部機器との通信を可能にするデータ送受信モードに移行するように構成されている。このように構成すれば、使用者がデータ送受信モードに切り替えるために特別な操作を行う必要がないので、携帯機器の操作性を向上させることができる。
【００２２】
この場合において、好ましくは、入出力端子には、スイッチ部が含まれ、スイッチ部は、入出力端子がスライドされることによって、データ送受信モードのオンおよびオフを切り替えるように構成されている。このように構成すれば、スイッチ部を用いて、容易にデータ送受信モードのオンおよびオフを切り替えることができる。
【００２３】
入出力端子にスイッチ部が含まれる携帯機器において、好ましくは、スイッチ部には、凸部が設けられ、ドア部の内部の入出力端子が配置される部分には、凸部を係合する凹部が設けられている。このように構成すれば、スイッチ部をスライドする際に、凹部に係合されているスイッチ部の凸部が同時にスライドされるので、容易に、データ送受信モードのオンおよびオフを行うことができる。
【発明を実施するための最良の形態】
【００２４】
以下、本発明を具体化した実施形態を図面に基づいて説明する。
【００２５】
図１は、本発明の一実施形態による携帯情報端末を表面側から見た斜視図である。図２および図３は、本発明の一実施形態による携帯情報端末を裏側面から見た斜視図である。図４〜図８は、図１に示した一実施形態による携帯情報端末の構造を説明するための図である。図９〜図１１は、図１に示した一実施形態による携帯情報端末の構造および外部機器に接続する際の動作を説明するための図である。図１２〜図１４は、本発明の一実施形態による携帯情報端末が外部機器に接続されている図である。まず、図１〜図１４を参照して、本発明の一実施形態による携帯情報端末の構造について説明する。なお、本実施形態では、携帯機器の一例である携帯情報端末に本発明を適用した場合について説明する。
【００２６】
本発明の一実施形態による携帯情報端末１では、図１に示すように、実質的に直方体の形状により形成されている筐体２の表面２ａ側には、液晶パネルからなる表示部３と、携帯情報端末１を操作するための４つのボタン４とが配置されている。また、図２および図３に示すように、筐体２の裏面２ｂ側には、凹状のカード収納部２ｃが形成されている。このカード収納部２ｃは、２つのヒンジ５を中心に開閉可能なカードドア部６によって覆われている。すなわち、カード収納部２ｃは、外部から埃などが浸入するのを抑制するように構成されている。なお、カードドア部６は、本発明の「ドア部」の一例である。また、カードドア部６には、筐体２に設けられている突起部２ｄに形成されている凹部２ｅに係合する凸部６ａが一体的に形成されている。これにより、カードドア部６を閉じた際に、容易にカードドア部６が開いてしまうのを抑制することが可能となる。また、カード収納部２ｃの内部には、図３に示すように、携帯情報端末１のデータなどを別途保存するための記憶媒体であるＳＤカード５０を挿入することが可能なカード挿入穴部２ｆが形成されている。
【００２７】
ここで、本実施形態では、図３〜図６および図８に示すように、カードドア部６のカード収納部２ｃ側の面には、一対のＵＳＢガイド部６ｂが一体的に形成されている。また、一対のＵＳＢガイド部６ｂには、外部機器に接続可能なＵＳＢケーブル７に一体的に設けられているＵＳＢ端子部７ａの把持部７ｂがスライド可能に係合されている。このＵＳＢケーブル７は、把持部７ｂに覆われているオス型のＵＳＢ端子部７ａおよびケーブル部７ｃから構成されている。ケーブル部７ｃの一方端側は、携帯情報端末１の本体内に接続されるとともに、ケーブル部７ｃの他方端側は、上記ＵＳＢ端子部７ａに接続されている。これにより、ＵＳＢケーブル７は、携帯情報端末１とメス型のＵＳＢ端子部を有する外部機器との間を接続することが可能となる。また、ケーブル部７ｃは、カード収納部２ｃの内部に収納可能な程度の長さを有している。なお、ＵＳＢケーブル７は、本発明の「通信ケーブル」の一例であり、ＵＳＢ端子部７ａは、本発明の「入出力端子」の一例である。
【００２８】
また、本実施形態では、図７、図９および図１０に示すように、ＵＳＢ端子部７ａの把持部７ｂには、その凸部７ｄをスライドすることにより携帯情報端末１とＵＳＢケーブル７のＵＳＢ端子部７ａが接続された外部機器との間のデータ通信モードをオン状態およびオフ状態に切換可能なスイッチ部７ｅが設けられている。このスイッチ部７ｅの凸部７ｄは、図９および図１０に示すように、カードドア部６のＵＳＢ端子部７ａの把持部７ｂが面する部分に設けられている凹部６ｃに嵌め込まれている。また、スイッチ部７ｅは、ＵＳＢ端子部７ａをカードドア部６の外部に突出させる際の位置決めの機能を有する。このようにして、図１１〜図１４に示すように、カードドア部６の外部に突出されるＵＳＢ端子部７ａは、外部機器の一例であるノートパソコン６０のメス型のＵＳＢ端子部６１に直接接続するのが可能となるように構成されている。なお、ノートパソコン６０は、本発明の「外部機器」の一例である。
【００２９】
次に図３、図７および図９〜図１２を参照して、本実施形態における携帯情報端末１のＵＳＢ端子部７ａを外部機器に接続する際の動作および内部に収納する際の動作について説明する。
【００３０】
まず、ＵＳＢ端子部７ａを外部に突出させて外部機器に接続する場合について説明する。図９および図１０に示すように、ＵＳＢ端子部７ａの把持部７ｂを矢印Ａ方向にスライドさせる。そして、図１１に示すように、ＵＳＢ端子部７ａをカードドア部６の外部に突出させる。この際、図７、図９および図１０に示すように、スイッチ部７ｅの凸部７ｄがオン状態の位置にスライドされるため、携帯情報端末１とＵＳＢ端子部７ａが接続された外部機器との間のデータ通信モードをオン状態にすることが可能となる。これにより、図１２に示すように、携帯情報端末１は、ノートパソコン６０に接続するのが可能となる。
【００３１】
次に、ＵＳＢ端子部７ａをカードドア部６の内部に収納する場合について説明する。図９および図１０に示すように、カードドア部６の外部に突出させていたＵＳＢ端子部７ａの把持部７ｂを矢印Ｂ方向にスライドさせる。そして、図３に示すように、ＵＳＢ端子部７ａをカードドア部６の内部に収納する。この際、図７、図９および図１０に示すように、スイッチ部７ｅの凸部７ｄがオフ状態の位置にスライドされるため、携帯情報端末１とＵＳＢ端子部７ａが接続された外部機器との間のデータ通信モードをオフ状態にすることが可能となる。
【００３２】
本実施形態では、上記のように、携帯情報端末１本体を構成する筐体２に、ＵＳＢ端子部７ａが設けられているＵＳＢケーブル７を設けることによって、ＵＳＢ端子部７ａを介して携帯情報端末１を外部機器（ノートパソコン６０のＵＳＢ端子部６１）に接続する際に、別途通信ケーブルを接続する必要がない。これにより、使用者が外部機器（ノートパソコン６０のＵＳＢ端子部６１）に接続するためのＵＳＢケーブルを別途携帯する必要がない。また、ＵＳＢケーブル７以外のＳＤカード５０を収納するために筐体２に、ＳＤカード５０に加えて、ＵＳＢケーブル７およびＵＳＢ端子部７ａも内部に収納されている開閉可能なカードドア部６を設けることによって、ＵＳＢケーブル７を収納するためだけの収納スペースを必要としないため、スペースに余裕のない小型の携帯機器においても、ＵＳＢケーブル７を収納するスペースを有効に確保することができる。また、ＵＳＢケーブル７のＵＳＢ端子部７ａを使用しない場合に、開閉可能なカードドア部６によって、ＵＳＢケーブル７およびＵＳＢ端子部７ａは、筐体２の内部に外部と遮断された状態で収納されるので、収納されたＵＳＢ端子部７ａに埃などが付着するのを抑制することができる。
【００３３】
また、本実施形態では、ＵＳＢ端子部７ａを筐体２の外部に突出させる際に、ＵＳＢ端子部７ａが接続される外部機器（ノートパソコン６０のＵＳＢ端子部６１）との通信を可能にするデータ送受信モードに移行されるように構成することによって、使用者がデータ送受信モードに切り替えるために特別な操作を行う必要がないので、携帯情報端末１の操作性を向上させることができる。
【００３４】
また、本実施形態では、ＵＳＢ端子部７ａの把持部７ｂを、カードドア部６の内部にスライド可能に配置するとともに、スライドすることによって筐体２の外部に突出させることが可能なように構成することによって、接続時にＵＳＢ端子部７ａを容易に筐体２の外部に突出させることができる。
【００３５】
また、本実施形態では、ＵＳＢ端子部７ａには、スイッチ部７ｅが含まれ、スイッチ部７ｅは、ＵＳＢ端子部７ａの把持部７ｂがスライドされることにより、データ送受信モードのオンおよびオフを切り替えるように構成されていることによって、スイッチ部７ｅを用いて、容易にデータ送受信モードのオンおよびオフを切り替えることができる。
【００３６】
また、本実施形態では、スイッチ部７ｅに凸部７ｄを設け、カードドア部６内側面のＵＳＢ端子部７ａの把持部７ｂが配置される部分に凸部７ｄと係合する凹部６ｃを設けることによって、スイッチ部７ｅをスライドする際に、凹部６ｃに係合されているスイッチ部７ｅの凸部７ｄが同時にスライドされるので、容易に、データ送受信モードのオンおよびオフを行うことができる。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３８】
たとえば、上記実施形態では、ＳＤカードなど記憶媒体に加えてＵＳＢケーブルおよびＵＳＢ端子部をカードドア部の内部に収納可能な収納部を備えた携帯情報端末に本発明を適用する例を示したが、本発明はこれに限らず、ＵＳＢケーブルやＵＳＢ端子部をドア部の内部に収納可能な携帯電話および携帯型音楽プレイヤーなどの携帯情報端末以外の携帯機器にも本発明を適用可能である。
【００３９】
また、上記実施形態では、通信ケーブルにＵＳＢケーブルおよびＵＳＢ端子部を適用した例を示したが、本発明はこれに限らず、ＩＥＥＥ１３９４（Ｆｉｒｅ  Ｗｉｒｅ）などの外部機器に接続可能なケーブルおよび端子部であれば、ＵＳＢケーブル以外のケーブルおよび端子部でもよい。
【００４０】
また、上記実施形態では、ＵＳＢケーブルおよびＵＳＢ端子部をカードを収納するカードドア部の内側に収納する例を示したが、本発明はこれに限らず、電池収納部などの他の物品をドア部の内側に収納可能なドア部であれば、他のドア部でもよい。
【００４１】
また、上記実施形態では、ＵＳＢ端子部の把持部のスイッチ部がスライドされることによってデータ送受信モードのオンおよびオフを切り替えるように構成されている例を示したが、本発明はこれに限らず、ＵＳＢ端子部を外部機器に接続した際に、自動的にデータ送受信モードがオン状態になるように構成してもよい。
【図面の簡単な説明】
【００４２】
【図１】本発明の一実施形態による携帯情報端末を表面側から見た斜視図である。
【図２】本発明の一実施形態による携帯情報端末を裏側面から見た斜視図である。
【図３】本発明の一実施形態による携帯情報端末を裏側面から見た斜視図である。
【図４】図１に示した一実施形態による携帯情報端末の構造を説明するための平面図である。
【図５】図１に示した一実施形態による携帯情報端末の構造を説明するための部分斜視図である。
【図６】図１に示した一実施形態による携帯情報端末の構造を説明するための図である。
【図７】図１に示した一実施形態による携帯情報端末の構造を説明するための図である。
【図８】図１に示した一実施形態による携帯情報端末の構造を説明するための図である。
【図９】図１に示した一実施形態による携帯情報端末の構造および外部機器に接続する際の動作を説明するための図である。
【図１０】図１に示した一実施形態による携帯情報端末の構造および外部機器に接続する際の動作を説明するための図である。
【図１１】図１に示した一実施形態による携帯情報端末の構造および外部機器に接続する際の動作を説明するための斜視図である。
【図１２】本発明の一実施形態による携帯情報端末が外部機器に接続されている斜視図である。
【図１３】図１２を矢印Ｐ方向から見た部分側面図である。
【図１４】図１２を矢印Ｑ方向から見た部分正面図である。
【符号の説明】
【００４３】
１  携帯情報端末（携帯機器）
２  筐体
６  カードドア部（ドア部）
６ｃ  凹部
７  ＵＳＢケーブル（通信ケーブル）
７ａ  ＵＳＢ端子部（入出力端子）
７ｄ  凸部
７ｅ  スイッチ部
６０  ノートパソコン（外部機器）
【図１】
2008052612.tif 000003
【図２】
2008052612.tif 000004
【図３】
2008052612.tif 000005
【図４】
2008052612.tif 000006
【図５】
2008052612.tif 000007
【図６】
2008052612.tif 000008
【図７】
2008052612.tif 000009
【図８】
2008052612.tif 000010
【図９】
2008052612.tif 000011
【図１０】
2008052612.tif 000012
【図１１】
2008052612.tif 000013
【図１２】
2008052612.tif 000014
【図１３】
2008052612.tif 000015
【図１４】
2008052612.tif 000016